(57)【要約】【課題】第１種パチンコ機のゲーム中に所定条件が満足されたとき、その旨を視覚に対して明瞭に表示する。【解決手段】コントロール回路５は、個別のパレット符号が割り当てられたカラーパレット「１」〜「８」からなる複数のカラーパレットグループｃｐ１〜３をC-P.ＲＡＭ７内に設け、C-G.ＲＯＭ６から任意の色彩データを各カラーパレットグループｃｐ１〜３単位でカラーパレット「１」〜「８」の各々に登録し、C-G.ＲＯＭ６内の識別情報のキャラクタデータをいずれかのカラーパレットグループｃｐ１の各カラーパレット「１」〜「８」に基いて表示し、所定条件が満足されたとき、原カラーパレットグループｃｐ１から他のカラーパレットグループｃｐ２，３に所定タイミングで変更する。【選択図】図１
2006150109.tif 000002
【特許請求の範囲】
【請求項１】
遊技盤に配置された始動領域へのパチンコ球の入賞または通過に基づいて、複数種の識別情報の配列を所定時間変動表示させ、該変動表示の終了に基づいて前記識別情報の配列を順次停止表示させる可変表示装置を設けたパチンコ機の画像表示装置において、
前記可変表示装置には、前記識別情報を表示するためのキャラクタデータおよび色彩データが格納されたメモリを設け、
該メモリには、パレット符号と前記色彩データとが対応づけられた複数のカラーパレットからなるカラーパレットグループが複数格納され、
前記カラーパレットは、各カラーパレットグループ毎で同一のパレット符号に対して前記色彩データが異なるように構成されていて、前記キャラクタデータと前記いずれかのカラーパレットグループとに基づいて、前記識別情報を表示制御し、所定のタイミングで、前記表示されている識別情報のカラーパレットグループを、異なるカラーパレットグループのいずれかに変更して表示する表示制御回路を設けたことを特徴とするパチンコ機の画像表示装置。
【請求項２】
前記所定のタイミングは、前記可変表示装置がいずれかの列の識別情報を変動表示させている時点で、すでに停止表示済みの識別情報が同種のものを表示するリーチ状態、または、前記可変表示装置が停止表示済みの全ての識別情報が同種のものを表示する大当り状態の場合であることを特徴とする請求項１記載のパチンコ機の画像表示装置。
【発明の詳細な説明】
【技術分野】
【０００１】
本発明は、始動入賞口の入賞に応じて所定の識別情報を表示するパチンコ機の画像表示装置の改良に関する。
【背景技術】
【０００２】
パチンコ機には画像表示装置を設け、遊技の進行に応じて多種多彩な画像情報を画像表示装置に表示する機種がある。この種のパチンコ機の画像表示装置はたとえば７セグメントおよびドットマトリクスのＬＥＤまたはＬＣＤからなる表示素子を備えた可変表示装置を設け、機種によっては画像情報を複数色で表示する機能を可変表示装置に備えさせ、遊技変化を視覚的に良好にしたものもある。
【０００３】
この可変表示装置は通常のパチンコ遊技時または非遊技時にその内容に応じて所定の内容が表示され、非遊技状態からパチンコ球が所定の始動領域に入賞または始動領域を通過したとき、可変表示装置はゲームを開始する。
【０００４】
このゲームは複数列の識別情報を可変表示装置に変動表示させ、所定時間経過後、識別情報を変動表示状態の識別情報を停止表示に移行させるのである。このとき変動表示状態の識別情報がすべての列を同時に停止表示される機種はまれで、変動表示状態から１列づつ順次停止表示する機種が主流を占めている。
【０００５】
上記停止表示された識別情報（以下、停止識別情報という）が予め定められた特定の識別情報（以下、特定識別情報という）であるとき、遊技者に有利な権利が発生する。すなわち、可変表示装置が複数の停止識別情報をすべて同種のものを表示した場合を特定識別情報とする。
【０００６】
そして可変表示装置がいずれかの列の識別情報を変動表示させている時点で、すでに停止表示済の識別情報によって特定識別情報の一部が形成されている場合をリーチ状態といい、リーチ状態形成中にはその旨が遊技者に報知される。
【０００７】
ところで識別情報は可変表示装置に複数列（たとえば３列）で１行あるいは複数列２行で表示されたり、機種によっては複数列の識別情報が３行以上で表示されるものもある。
【０００８】
このように識別情報が複数列１行での表示機種は、特定識別情報の組合せが１行分すなわち１通り、同じく複数列２行では２通りだが、複数列３行たとえば３列３行では行方向のほかに対角線が付加されるために合計５通り、場合によっては列方向に３通りを加算して、合計８通りが特定識別情報の組合せになる。
【０００９】
そこで上述したリーチ状態にその旨を明確に報知するために、リーチ状態にある識別情報を他の識別情報とは異なる態様で表示する必然性が出てくる。
【００１０】
このための手段として可変表示装置が複数種の色彩を表示可能な素子たとえばＬＣＤカラーパネルを備えた場合、リーチ状態にある識別情報を他の識別情報とは異なる色彩で表示する機種がある。
【００１１】
この種のパチンコ機の画像表示装置は、少なくとも識別情報のキャラクタデータおよび色彩データをメモリにリーチ状態と通常時との２種類ともに別個にメモリに格納し、停止表示時および変動表示時には通常用の両データに基いて、またリーチ状態にはリーチ用の両データに基いてそれぞれ可変表示装置に識別情報を表示するのである。
【００１２】
そしてリーチ状態にある識別情報を複数色いわゆるカラーで表示することにより、他の識別情報から視覚を介して明確に識別させるのみでなく、同時にリーチ状態にあるか否かも色彩によって報知し、上記権利に対する期待感を遊技者に抱かせるとともに視覚的遊技変化を色彩の点において遊技者に付与する。
【発明の開示】
【発明が解決しようとする課題】
【００１３】
ところが上記プログラムの容量には上限が定められているため、規定容量からパチンコ機の制御用プログラムを除いた容量内で画像情報に係るプログラムおよびその複数種の色彩に係るプログラムを作成しなければならない。
【００１４】
すなわちカラー表示用のパチンコ機の画像表示装置は画像情報を複数種の色彩で表示できることから、単色表示用機種よりも視覚的興趣を遊技者に付与する可能性が大きい反面、プログラム用量において単色表示用のパチンコ機の画像表示装置と比較して、カラー表示用のプログラム分だけ画像情報に多くのプログラム用量を要する。
【００１５】
これはカラー表示用機種は動画・静止画などの画像情報に係る処理に重点を置いたプログラムを作成した場合には色彩に係るプログラムの残容量が減少するためにプログラムの開発能率が低減することを示す一方、色彩処理に係るプログラム処理に重点を置いたプログラムを作成した場合、上記画像情報に係るプログラムの残容量が減少するためにプログラムの開発能率の低減を招く。
【００１６】
また、リーチ状態のための表示処理などにあっては１つの識別情報に対して色彩数に相当するだけのメモリ容量（色彩データ、キャラクタデータおよび命令）を要する。
【００１７】
このため、カラー表示用機種は単色表示用機種と比較してプログラム作成上制限が大きくなり易いために開発の長期化を招き易く、しかも画像情報および色彩の両処理を充分発揮したプログラムを作成することが困難である。したがってコストアップを招き易いだけでなく、視覚的に変化に富んだ画像を作成しにくいことからパチンコ遊技は単調になり易いので遊技意欲の低減を招き易い。
【００１８】
そこで本発明はリーチ時の識別情報表示処理のためのデータ容量およびプログラム容量を減少させたパチンコ機の画像表示装置の提供を目的としている。
【課題を解決するための手段】
【００１９】
本発明は、上記目的を達成するため、請求項１のパチンコ機の画像表示装置に係る発明は、遊技盤に配置された始動領域へのパチンコ球の入賞または通過に基づいて、複数種の識別情報の配列を所定時間変動表示させ、該変動表示の終了に基づいて前記識別情報の配列を順次停止表示させる可変表示装置を設けたパチンコ機の画像表示装置において、前記可変表示装置には、前記識別情報を表示するためのキャラクタデータおよび色彩データが格納されたメモリを設け、該メモリには、パレット符号と前記色彩データとが対応づけられた複数のカラーパレットからなるカラーパレットグループが複数格納され、前記カラーパレットは、各カラーパレットグループ毎で同一のパレット符号に対して前記色彩データが異なるように構成されていて、前記キャラクタデータと前記いずれかのカラーパレットグループとに基づいて、前記識別情報を表示制御し、所定のタイミングで、前記表示されている識別情報のカラーパレットグループを、異なるカラーパレットグループのいずれかに変更して表示する表示制御回路を設けたことを特徴とする。
【００２０】
また、請求項２の発明は、請求項１のパチンコ機の画像表示装置において、前記所定のタイミングは、前記可変表示装置がいずれかの列の識別情報を変動表示させている時点で、すでに停止表示済みの識別情報が同種のものを表示するリーチ状態、または、前記可変表示装置が停止表示済みの全ての識別情報が同種のものを表示する大当り状態の場合であることを特徴とする。
【発明の効果】
【００２１】
本発明は、このような構成としたことにより、複数のカラーパレットの中から所望カラーパレットのみを登録することによって所望色彩データのみでカラーパレットグループを構成でき、表示制御回路は通常時にはいずれかのカラーパレットグループに基いて識別情報のキャラクタデータを表示制御し、所定条件が満足されたときに原カラーパレットグループから他のカラーパレットグループに指定を変更するだけで、原カラーパレットグループの各パレット符号に登録されている色彩データを、ほかのカラーパレットグループの各パレット符号に登録されている色彩データに変更できる。
本発明の表示制御回路は、所定条件が満足されたとき識別情報を構成している原カラーパレットグループをほかのカラーパレットグループに変更するだけで、各パレット符号に登録されている色彩データをほかのカラーパレットグループの各パレット符号に登録されている色彩データに容易に変更できるので、所定条件が満足されたことを可変表示装置によって視覚的に明確に報知できるだけでなく、画像情報処理に係る極端なプログラム容量増大を抑止できる。
これにより、視覚的に変化に富んだ画像を容易に提供できることから、パチンコ遊技に変化をもたらせることによって遊技意欲が向上し、カラー表示用機種のプログラム作成上制限を減少し、かつ、開発期間の長期化を抑止でき、しかもカラー表示に基いて画像情報および色彩の両処理を充分発揮したプログラムが容易で、コストアップを抑止する。
また、表示制御回路がリーチ状態において停止表示中の識別情報を構成しているカラーパレットグループを異なるカラーパレットグループに変更する構成の場合、色彩データの変更によって可変表示装置を介してリーチ状態を表示することができる。
【００２２】
またリーチ状態のときに表示制御回路が停止表示中の識別情報を構成しているカラーパレットグループを異なるカラーパレットグループに変更する構成の場合、色彩データの変更によってリーチ状態が表示される。
【発明を実施するための最良の形態】
【００２３】
以下に、本発明の一実施形態を図面に基いて詳細に説明する。図１ないし図３は本発明に係るパチンコ機の画像表示装置の要部を表し、１は可変表示装置を示し、２は可変表示装置１の一部を構成するＬＣＤカラーパネルを示している。可変表示装置１は図２および図３に示したパチンコ機３の遊技盤４面のほぼ中央部に配置されている。
【００２４】
本実施形態においてＬＣＤカラーパネル（ＬＣＤ表示素子）２は、およそ１０万画素（図示省略）を備え、各画素は光の三原色としての赤（以下、Ｒと表示する）、緑（以下、Ｇと表示する）および青（以下、Ｂと表示する）をそれぞれ２ドットづつ合計６ドットで形成されている。
【００２５】
各ドットは、可変表示装置１に設けられた表示制御回路としてのコントロール回路（図１参照）５によって制御され、コントロール回路５には各ドットの輝度を調節することにより、各画素を単位として４０９６種の色調に表示する機能が備えてられている（詳細後述）。
【００２６】
ＬＣＤカラーパネル２は、パチンコ機３が設置された状態で遊技客の着座または起立状態において、その表示内容を明瞭に認識できるように、明視方向を上方から下方に設定している。
【００２７】
このように可変表示装置１をＬＣＤ表示素子で構成しているので、外形をブラウン管で構成した場合と比較して小さく、しかも消費電力もブラウン管およびＬＥＤ表示素子と比較して小さいため、可変表示装置１の外形および消費電力の省力化が容易に図られる。
【００２８】
ＬＣＤカラーパネル２は表示面を図２および図３の破線で示すように、右中左および上中下にそれぞれ３分割すなわち３行３列の合計９つに分割し、各分割表示面イ〜リをコントロール回路５によって各分割表示面イ〜リ単位で表示制御する。
【００２９】
なお本実施形態ではＬＣＤカラーパネル２の表示面が９分割されているが、図２および図３に破線で示しているところの分割境界線は便宜上のもので、この破線を実際に目視することはできない。
【００３０】
各分割表示面イ〜リには主に識別情報および一般情報が各々動画または静止画で表示される。一般情報は識別情報と異なる表示で、本実施形態における一般情報はデモンストレーション（以下、デモという）画面と、各種のメッセージ画面とで構成されている。
【００３１】
本実施形態では識別情報として「０〜９」の数字と「Ａ〜Ｈ」の大文字アルファベットとがゲーム中に使用され、識別情報の便宜上の配置が各列毎に図４に示されている。
【００３２】
他方、一般情報はゲーム中でない場合に表示され、一般情報のうちのメッセージ画面には権利およびエラーが発生した旨、権利の行使回数、大入賞口（後述）への入賞球数、権利の継続が決定した旨および権利が終了した旨などがある。
【００３３】
また分割表示面イ〜リの表示内容はパチンコ遊技の進行に応じて変動し、いずれかの停止識別情報は各分割表示面イ〜リに対して１つずつ割り当てられる（図５ないし図８参照）。そして一般情報は後述するゲーム中でないとき、図７に示すように分割表示面イ〜リの全体にわたって表示される。
【００３４】
可変表示装置１がゲームの開始によって起動されると、ＬＣＤカラーパネル２には所定の変動表示時間だけ複数種の識別情報が図２中、上方から下方に各列単位で順次スクロールされることによって変動表示される（図６参照）。
【００３５】
この変動表示時間が経過すると、可変表示装置１は識別情報の変動表示を停止し、この停止に基いていずれかの識別情報をＬＣＤカラーパネル２に所定の停止表示時間だけ停止表示する。
【００３６】
図１に戻り、可変表示装置１はＬＣＤカラーパネル２およびコントロール回路５のほかに、メモリとしてのキャラクタジェネレータＲＯＭ（以下、C-G.ＲＯＭという）６およびカラーパレットＲＡＭ（以下、C-P.ＲＡＭという）７を備えている。
【００３７】
このC-P.ＲＡＭ７には後述するカラーパレットデータを格納するためのエリアが備えられており、このほかにＬＣＤカラーパネル２に表示される動画および静止画のために、各種キャラクタデータを一時的に格納し、かつ、格納済の同データを読み出しするためのエリアも備えられている。
【００３８】
コントロール回路５はインタフェイス回路８を介してＭＰＵ９に交信可能に接続され、ＭＰＵ９は、ＲＯＭ10に格納されたパチンコ機３の制御プログラムおよび各種データ（ともに図示省略）に基いてパチンコ機３の各部を制御する。
【００３９】
このパチンコ機３の制御の際にＭＰＵ９は各命令を実行するために各データ、演算値および命令をＲＡＭ11に一時的に格納する。なおＭＰＵ９は時計機能を備えており、ＭＰＵ９にはリセット回路12、クロック回路13、分周回路14、電源回路15が接続されている。
【００４０】
リセット回路12はＭＰＵ９を初期状態にするためのもので、リセット回路12には電源リセット回路16が接続され、電源回路15から電力が供給される際にリセット回路12に連動してＭＰＵ９を必ず初期状態にする。
【００４１】
クロック回路13はＭＰＵ９に基本クロックパルス信号を供給し、ＭＰＵ９は基本クロックパルス信号に基いて上記制御プログラムを所定タイミングで実行する。クロック回路13が発生させる基本クロックパルス信号の周期は、８ＭＨｚないし１０ＭＨｚ程度であり、基本クロックパルス信号はクロック回路13から分周回路14に入力されている。
【００４２】
電源回路15はパチンコ機３の各部に電力を供給するものであるが、各部への電力供給手段は、図示が省略されている。17は特定表示回路で、特定表示回路17は権利が発生した場合にＭＰＵ９から入力される制御信号に基いて、図１ないし図３に示す特定表示器（装飾用ランプ）18を表示制御する。
【００４３】
コントロール回路５はＭＰＵ９から入力される命令に基いてＬＣＤカラーパネル２の表示制御すなわち走査制御をするためのもので、ＬＣＤカラーパネル２には図10に示すＸドライバ回路19，19およびＹドライバ回路20，20が分割表示面イ〜リの駆動用に設けられ、Ｘ−Ｙ制御回路21によって制御される。
【００４４】
ＬＣＤカラーパネル２に表示される各種キャラクタのデータはC-G.ＲＯＭ６に予め格納されている。詳しくいえばC-G.ＲＯＭ６には、識別情報のキャラクタデータ、権利の発生および行使に相当する大役処理（後述）の継続回数静止画素材用キャラクタデータ（図９R>９参照）ｒ、権利の発生を示す大当たり用キャラクタデータ（図９参照）ｃ、各種デモの静止画素材用キャラクタデータ、同動画素材用キャラクタデータ、入賞球数用キャラクタデータ（図９参照）ｂ、各種メッセージ（大役発生表示、大役処理中表示、権利継続決定表示、権利終了表示およびエラー表示など）用静止画素材用キャラクタデータ、同動画素材用キャラクタデータおよびカラーパレットグループcpのデータが格納されている。
【００４５】
識別情報のキャラクタデータは識別情報の変動状態、リーチ状態および停止状態を表示するためのもので、ＬＣＤカラーパネル２上の表示を想定して上記数字およびアルファベットを「１」および「０」の２進符号で形成している。
【００４６】
この識別情報のキャラクタデータはゲームの開始に伴ってコントロール回路５により、動画または静止画として処理される。本実施形態における識別情報の動画および静止画はすべての分割表示面イ〜リの全体を同時に表示制御される構成ではなく、各列毎に左列から右列にかけて、また上行から下行にかけて各分割表示面イ〜リ単位で表示制御される。
【００４７】
すなわち識別情報の表示は、コントロール回路５が識別情報のいずれかのキャラクタデータを各分割表示面イ〜リ単位で左列分割表示面イ，ニ，ト、中列分割表示面ロ，ホ，チおよび右列分割表示面ハ，ヘ，リの順で、上行から下行にかけて走査してC-P.ＲＡＭ７の空きエリアに一時的に格納しながらＬＣＤカラーパネル２上に識別情報を表示するのである。
【００４８】
そしてコントロール回路５がすでにC-P.ＲＡＭ７に格納済のキャラクタデータに対応する識別情報を分割表示面イ〜リのいずれかに繰り返して表示した場合、その識別情報は停止表示され、コントロール回路５が識別情報のキャラクタデータを走査する箇所を順次移動させてC-P.ＲＡＭ７に格納した場合、識別情報は動画表示される。
【００４９】
なお本実施形態ではリーチ状態は各行および対角線上において、左列および中列の各識別情報のキャラクタデータが一致する場合をいい、リーチ状態における識別情報のスクロール速度は変動表示時における識別情報のスクロール速度よりも遅く定められている。
【００５０】
大当たり用キャラクタデータｃは権利発生時に使用されるもので、権利発生の旨を表示するとともに大役処理中に遊技変化をもたらせる装飾することを主目的とし、本実施形態では互いに異なる５種類がC-G.ＲＯＭ６の同じエリアに格納されている（図９参照）。
【００５１】
カラーパレット用データは電源の投入と同時にコントロール回路５により、C-G.ＲＯＭ６からC-P.ＲＡＭ７に書き込まれる（図９、図12ないし図15参照〜詳細後述）。
【００５２】
始動記憶数表示器22は図１の表示器駆動回路23によって駆動制御され、表示器駆動回路23はＭＰＵ９によって制御される。始動記憶数表示器22は図11に示す４個のＬＥＤ24〜27からなり、表示器駆動回路23は各ＬＥＤ24〜27をドライブする機能を備えている。表示器駆動回路23はＭＰＵ９にインタフェイス回路28を介して接続されている。
【００５３】
インタフェイス回路28はパチンコ機３の各部とＭＰＵ９との電気的整合を図るためのもので、またインタフェイス回路８は可変表示装置１とＭＰＵ９との電気的整合を図るためのものである。インタフェイス回路28には表示器駆動回路23のほか、上述した特定表示回路17、始動入賞球検出回路29、継続入賞球検出回路30、入賞球数検出回路31、表示器駆動回路23、可変入賞球装置32および電子音発生回路33が接続されている。
【００５４】
始動入賞球検出回路29は図２および図３に示す始動入賞口34への入賞球（以下、始動入賞球という）を検出するためのもので、始動入賞口34に設けられた始動入賞球検出スイッチ35によって始動入賞球の有無を検出する。
【００５５】
これにより始動入賞球検出回路29は始動入賞球を始動入賞球検出スイッチ35の動作に基いて検出でき、始動入賞球の検出信号をインタフェイス回路28を介してＭＰＵ９に入力する。ついでＭＰＵ９はこの始動入賞球に基いて上述したゲームを開始するために可変表示装置１を起動させると同時に、ＲＯＭ10に予め格納された手順に基いていずれかの停止識別情報を決定する。
【００５６】
このゲーム中いいかえれば可変表示装置１の変動表示中に１球の始動入賞球があった場合、ＭＰＵ９は始動入賞球検出回路29を介して変動表示中の始動入賞球を検出し、インタフェイス回路28を介して表示器駆動回路23に検出信号を入力する。
【００５７】
こののち表示器駆動回路23は始動記憶数表示器22のうちの図11中、一番左端のＬＥＤ24を点灯させ、ゲーム中に合計２球の始動入賞球があった場合には図11中、左側２球分のＬＥＤ24，25を、合計３球の場合には左側３球分のＬＥＤ24〜26を、さらに合計４球の場合にはＬＥＤ24〜27のすべてを点灯させる。
【００５８】
なお入賞球数検出回路31はゲーム中でない場合と、ゲーム中であって可変表示装置１に識別情報が変動表示中に始動入賞球がない場合、いずれのＬＥＤ24〜27も点灯させない。
【００５９】
可変表示装置１に識別情報を変動表示させている始動入賞球を含め、合計で５球の始動入賞球があり、これによりＬＥＤ24〜27のすべてが点灯しているときに、さらに第６球目またはそれ以降に始動入賞球があっても、ＬＥＤ24〜27の点灯状態に変化はない。
【００６０】
始動記憶数表示器22の点灯動作中、１ゲームが終了する度に表示器駆動回路23によって始動記憶数表示器22はＬＥＤ27、ＬＥＤ26、ＬＥＤ25、ＬＥＤ24の順序で１つずつ消灯されてゆく。また上述したＬＥＤ24〜27の点灯または消灯は、権利発生に依存しない。
【００６１】
始動記憶数表示器22は、権利が発生した時点のＬＥＤ24〜27の点灯表示数に応じ、コントロール回路５によって読み出される大当たり用キャラクタデータｃの種別を決定する。
【００６２】
本実施形態ではいずれのＬＥＤ24〜27も点灯されていないときに権利が発生した場合、コントロール回路５は図９に示した大当たり用キャラクタデータｃの中からキャラクタ１を構成するデータを読み出す。
【００６３】
また図11中、一番左端のＬＥＤ24の点灯中に権利が発生した場合、コントロール回路５はキャラクタ２を読み出し、同図中、左側２球分のＬＥＤ24，25の点灯中にはキャラクタ３を、左側３球分のＬＥＤ24〜26の点灯中にはキャラクタ４を、さらにすべてのＬＥＤ24〜27の点灯中に権利が発生した場合、コントロール回路５は大当たり用キャラクタデータｃの中からキャラクタ５を読み出す。
【００６４】
これによりコントロール回路５は、権利が発生した時点で始動記憶数表示器22に表示されている始動入賞球数に応じて大当たり用キャラクタデータｃの種別を決定し、キャラクタ１〜５のいずれかに基いて互いに異なる権利発生に係る一般情報を可変表示装置１に表示することができる。
【００６５】
本実施形態において図16に示す横方向に組合せラインＬ１〜Ｌ３を３本、そして対角線方向に組合せラインＬ４，Ｌ５を２本の合計５本を配置し、組合せラインの各々について、停止識別情報のすべてが同じ場合を特定識別情報に定めることにする。なお組合せラインを図16中、縦方向に設けてもよい。
【００６６】
また可変入賞球装置32に設けられた大入賞口（図２および図３参照）36への入賞球数用キャラクタデータｂおよび大当たり用キャラクタデータｃは、大役処理中、ＬＣＤカラーパネル２の全体にわたって同時表示され、これらはコントロール回路５によって分割表示面イ〜リ単位で表示制御される。
【００６７】
図９に示すｃｐは、パレット符号としての「1」〜「8」で示したカラーパレットからなるカラーパレットグループの一部であり、図12ないし図15で示すカラーパレットデータから構成されている。
【００６８】
カラーパレットデータは、図１５で示すような、所定のカラーパレットグループcp１〜cp３単位でC-G.ＲＯＭ６に格納されており、各グループcp１〜cp３は、カラーパレット「1」〜「8」の合計８色分のキャラクタデータで構成されている。
【００６９】
本実施形態では第１ないし第３のカラーパレットグループcp１〜cp３を設けた場合を説明し、図15中、「１」は「ＯＮ状態」を示し、「０」は「ＯＦＦ状態」を示すものとする。
【００７０】
図15に示した第１カラーパレットグループcp１において、カラーパレット「1」は、ＲＧＢが共に「０」で黒を示し、カラーパレット「2」がＲＧＢの順序で「１」、「０」、「０」で赤を示し、以下同様に、カラーパレット「3」が「０」、「１」、「０」で緑を、カラーパレット「4」が「０」、「０」、「１」で青を、カラーパレット「5」が「１」、「１」、「０」で黄を、カラーパレット「6」が「０」、「１」、「１」でシアンを、カラーパレット「7」が「１」、「０」、「１」でマゼンダを、そしてカラーパレット「8」が「１」、「１」、「１」で白をそれぞれ表し、図９のｃｐに示すように識別情報のキャラクタデータが構成されたキャラクタを図12に示す色彩で表示する。
【００７１】
図15に示した第２カラーパレットグループcp２において、カラーパレット「1」はＲＧＢの順序で「１」、「０」、「０」によって赤を示し、カラーパレット「2」が「０」、「１」、「０」で緑を、カラーパレット「3」が「０」、「０」、「１」で青を、カラーパレット「4」が「１」、「１」、「０」で黄を、カラーパレット「5」が「０」、「１」、「１」でシアンを、カラーパレット「6」が「１」、「０」、「１」でマゼンダを、カラーパレット「7」が「１」、「１」、「１」で白を、そしてカラーパレット「8」がＲＧＢ共に「０」で黒をそれぞれ表し、図９のｃｐに示すように識別情報のキャラクタデータが構成されたキャラクタを図13に示す色彩で表示する。
【００７２】
図15に示した第３カラーパレットグループcp３において、カラーパレット「1」はＲＧＢの順序で「０」、「１」、「０」によって緑を示し、カラーパレット「2」が「０」、「０」、「１」で青を、カラーパレット「3」が「１」、「１」、「０」で黄を、カラーパレット「4」が「０」、「１」、「１」でシアンを、カラーパレット「5」が「１」、「０」、「１」でマゼンダを、カラーパレット「6」が「１」、「１」、「１」で白を、カラーパレット「7」がＲＧＢ共に「０」で黒を、そしてカラーパレット「8」がＲＧＢの順序で「１」、「０」、「０」によって赤をそれぞれ表し、図９のｃｐに示すように識別情報のキャラクタデータが構成されたキャラクタを図14に示す色彩で表示する。
【００７３】
また本実施形態では各カラーパレットグループcp１〜cp３に「４０９６色の中から任意に選択された」カラーパレット「1」〜「8」の合計８色が登録されているが、カラーパレットグループcp１〜cp３の各々は、１６色（Ｒ）×１６色（Ｇ）×１６色（Ｂ）＝４０９６色の中から２５６色までのカラーパレットが選択可能に構成されている（図17参照）。
【００７４】
すなわちＬＣＤカラーパネル２には画像情報を最大２５６種類の色彩で同時に表示できることになる。なお本実施形態では４０９６色の中から選択された任意の８色に使用される以外のカラーパレットに係るメモリは使用されない。
【００７５】
このようにカラーパレットグループcp１〜cp３はそれぞれ８色のカラーデータからなり、各カラーデータは共通しているもの、各カラーパレット「1」〜「8」に対応するカラーデータの組合せ、いいかえればカラーデータを格納しているメモリのアドレスが異なる。
【００７６】
そしてコントロール回路５はカラーパレットグループcp１〜cp３のいずれかを選択し、選択されたカラーパレットグループcp１〜cp３に基いて上述した各画素を構成するドットを異なる色調に調節している。これによりＬＣＤカラーパネル２はカラーパレットグループcp１〜cp３のいずれかの色調に基く配色で表示される。
【００７７】
このことから、選択されているいずれかのカラーパレットグループcp１〜cp３から、選択されているものとは異なるカラーパレットグループのいずれかに変更するだけで、任意の識別情報のキャラクタデータを変更することなく、ＬＣＤカラーパネル２上の配色すなわち輝度（または色調）を容易迅速に変更することができる。
【００７８】
図18に示すようにカラーパレットグループの相対的な輝度は数値で示されており、本実施形態では輝度は０〜１５の１６段階に定められている。その数値は小さくなるほど輝度が減少する一方、大きくなるほど輝度が増大するように定められている。
【００７９】
たとえばカラーパレットグループcp１において赤が、カラーパレット１５であるが、カラーパレットグループcp２ではカラーパレット９に、カラーパレットグループcp３ではカラーパレット０に定めることによって、カラーパレットグループcp１からカラーパレットグループcp３にかけて輝度を小さく設定しておけば、ＬＣＤカラーパネル２にカラーパレットグループcp１に基いて表示された所定キャラクタを（図19参照）、カラーパレットグループcp１からカラーパレットグループcp２およびカラーパレットグループcp３の順序で変更することによって、上記キャラクタを段階を追って溶暗表示させることができる。
【００８０】
さらに逆の順序でカラーパレットグループcp１〜cp３を変更することにより、上記キャラクタを段階を追って同系色でＬＣＤカラーパネル２に溶明表示させることができる。
【００８１】
さらにまたカラーパレットグループを増設するとともに各カラーパレットグループ間の輝度差を小さく定めることにより、所定キャラクタの同系色での溶明表示または溶暗表示をより円滑にＬＣＤカラーパネル２に表示できる。
【００８２】
C-G.ＲＯＭ６に格納された各種キャラクタのアドレスはＲＯＭ10に格納されており、ＭＰＵ９はコントロール回路５に所定の順序でキャラクタのアドレスを順次入力し、これによりコントロール回路５は適宜、ＬＣＤカラーパネル２を表示制御する。
【００８３】
C-G.ＲＯＭ６に格納された各種キャラクタのアドレスはＲＯＭ10に格納されており、ＭＰＵ９はコントロール回路５に所定の順序でキャラクタのアドレスを順次入力し、これによりコントロール回路５は適宜、ＬＣＤカラーパネル２を表示制御する。
【００８４】
またC-G.ＲＯＭ６に格納されたリーチ状態停止素材用キャラクタデータは、組合せラインＬ１〜Ｌ５の各々について格納され、これらをリーチ状態の報知表示の際、上述したカラーパレットグループcp１〜cp３の変更を比較的短時間の周期で行う。
【００８５】
これにより、段落0006で説明したリーチ状態にある停止識別情報が互いに異なる色彩で表示されるので、遊技者はリーチ状態を容易に目視で知覚することができる。このようなカラーパレットグループcp１〜cp３の変更に基く異なる色彩による表示は、以下、ブリンク表示ということにする。
【００８６】
ＭＰＵ９には後述する無限カウンタ（または乱数表）が備えられ、始動入賞口34への入賞タイミングに応じ、ＭＰＵ９はこの無限カウンタに基いて停止識別情報に相当する停止図柄用キャラクタデータを選択する。この停止図柄用キャラクタデータはＭＰＵ９によって各行各列毎に選択される。
【００８７】
ＭＰＵ９によって選択された停止図柄用キャラクタデータは、この停止図柄用キャラクタデータに応じた制御信号がＭＰＵ９からインタフェイス回路８を介してコントロール回路５に入力される。
【００８８】
そして詳細は後述するが始動入賞口34への入賞に基いて、コントロール回路５はＬＣＤカラーパネル２に識別情報を各分割表示面イ〜リ単位で所定時間変動表示したのち、左列から右列にかけて順次停止図柄用キャラクタデータに相当する停止識別情報を表示する。
【００８９】
この停止識別情報の表示に際してリーチしているときには、コントロール回路５には上述したようにリーチ信号がＭＰＵ９から入力されるので、コントロール回路５はリーチしている組合せラインＬ１〜Ｌ５について、特定組合せを構成する停止識別情報の分割表示面イ〜リのうちリーチで選択された分割表示面と、それ以外の残りの分割表示面とを互いに異なる態様で表示制御する。
【００９０】
したがってリーチ状態およびその組合せラインＬ１〜Ｌ５が、遊技者に対して特定組合せを構成する停止識別情報とともに表示される。本実施形態においてリーチ信号がコントロール回路５に入力されたとき、リーチ状態にある分割表示面イ〜リと他の分割表示面イ〜リとを互いに異なる色彩によって、所定タイミングで互いに入れ換える表示をする。
【００９１】
また上記異なる態様は、上述した互いに異なる色彩による所定タイミングでの入れ換えに限定されるものではなく、リーチ状態にある分割表示面イ〜リと他の分割表示面イ〜リとが判別可能であるかぎり、いかなる態様であってもよい。
【００９２】
つぎにリーチ状態からすべての列の識別情報が停止すると、ＭＰＵ９は、停止図柄用キャラクタデータに相当する停止識別情報の組合せが、段落0005で説明した特定識別情報であるか否かを判定する。
【００９３】
そして特定識別情報である場合には可変表示装置１の下方に配置された可変入賞球装置32を大役処理として駆動制御することにより、閉鎖している大入賞口（図２および図３参照）36を継続的に開放させる。他方、特定識別情報でない場合にＭＰＵ９はつぎのゲームが開始されることを待つ（後述）。
【００９４】
上記無限カウンタは分割表示面イ〜リに表示される識別情報に対応して設けられており、それぞれ「０」ないし「９」の数字と、「Ａ」ないし「Ｈ」のアルファベットとに相当する合計１８種類の停止図柄用キャラクタデータを発生させる。
【００９５】
継続入賞球検出回路30は大入賞口36内に設けられた継続入賞口（図示省略）に継続入賞球検出スイッチ37を備え、継続入賞球検出スイッチ37は上記継続入賞口に入賞したとき、継続入賞球の検出信号をインタフェイス回路28を介してＭＰＵ９に入力する。
【００９６】
入賞球数検出回路31は大入賞口36に入賞したときに、入賞球の検出信号をインタフェイス回路28を介してＭＰＵ９に入力するもので、大入賞口36内には入賞球数検出スイッチ38を設けている。
【００９７】
継続入賞球検出スイッチ37は大入賞口36への入賞球を検出したとき、すでに実行中の大役処理を継続させるためのものである。また入賞球数検出スイッチ38は大入賞口36に入賞したすべてのパチンコ球をカウントする（図１参照）。
【００９８】
上述した始動入賞球検出スイッチ35、継続入賞球検出スイッチ37および入賞球数検出スイッチ38は近接センサからなり、パチンコ球が各スイッチ35，37，38のいずれかに近接したときに所定の信号を発生させる。
【００９９】
表示器駆動回路23はＭＰＵ９から入力される制御信号に基いて、始動記憶数表示器22、入賞球数表示器39、大当たり表示器40および図柄変動中表示器41を表示制御するためのもので、ランプ、ＬＣＤまたはＬＥＤ（ともに図示省略）などを駆動するための図示を省略した各ドライブ手段を備えている。なお入賞球数表示器39は「７セグメント」ＬＥＤ表示素子からなる。
【０１００】
始動記憶数表示器22は４個のＬＥＤ表示素子からなり、ＭＰＵ９により始動入賞球検出回路29を介してカウントされた始動入賞球数を点灯表示するためのもので、表示される始動入賞球数用キャラクタデータｂの最大値は４球に定められている。そして５球目以降の始動入賞球に対する表示は行われない。
【０１０１】
ここでゲーム中に始動入賞球が５球以上あった場合、ＭＰＵ９は４球目までの各始動入賞球についてはゲーム開始に係る権利を保持し、この権利が保持されている各始動入賞球に対応した停止図柄用キャラクタデータをＭＰＵ９によって決定し、５球目以降の始動入賞球に対応する停止図柄用キャラクタデータの決定は行わない。
【０１０２】
すなわちＭＰＵ９は５球目以降の始動入賞球をゲームの始動について無視することになり、この始動入賞球に対しては通常の入賞処理のみが施されることになる。
【０１０３】
また始動記憶数表示器22は可変表示装置１を起動いいかえれば停止表示状態から変動表示状態に移行させ、ゲームを最初に開始させた始動入賞球数を表示しない。
【０１０４】
さらに詳しくいえば始動記憶数表示器22はゲーム中すなわちＬＣＤカラーパネル２が識別情報を変動表示させてから、停止表示するまでの始動入賞球数用キャラクタデータｂを１ゲーム毎に点灯表示するものである。
【０１０５】
そしてＬＣＤカラーパネル２が変動表示中の識別情報を停止表示させ、表示されている停止識別情報が特定識別情報でないと判定された時点で、始動記憶数表示器22によって始動入賞球数用キャラクタデータｂを点灯表示している場合、始動記憶数表示器22は始動入賞球数用キャラクタデータｂを１球分減じるのである。
【０１０６】
可変入賞球装置32は大入賞口36を開閉する開閉板（図２および図３参照）42と、開閉板42の開閉制御をする大入賞口ソレノイド43と、大入賞口ソレノイド43を駆動するソレノイド駆動回路44とを主構成とする（図１ないし図３参照）。
【０１０７】
開閉板42は図示を省略したピンによって前後方向に回動自在に連結され、図示を省略したリンク機構を介して大入賞口ソレノイド43に連結されている。ソレノイド駆動回路44はＭＰＵ９によって制御される。
【０１０８】
そしてソレノイド駆動回路44が大入賞口ソレノイド43を励磁すると、大入賞口36の開閉板42が開放され、発射球は大入賞口36に入賞し易くなる。大入賞口36への入賞球は入賞球数検出スイッチ38によって検出され、その入賞球数は入賞球数検出回路31からの入力信号に基いてＭＰＵ９によってカウントされると同時にＭＰＵ９は表示器駆動回路23を介して入賞球数表示器39に入賞球数を表示する。
【０１０９】
そして入賞球数検出スイッチ38によって検出された入賞球数用キャラクタデータｂが所定数（本実施形態においては１０球）に達したとき、ＭＰＵ９は大入賞口ソレノイド43に開閉板42を閉鎖させるための信号を発生させる。これにより励磁状態にある大入賞口ソレノイド43は解磁され、開放されている大入賞口36は閉止されて発射球を入賞させない。
【０１１０】
またＭＰＵ９は、入賞球数検出スイッチ38が１０球の入賞球をカウントしない場合には、大入賞口36を開放してからおよそ３０秒間が経過するまで、大入賞口36の開放を継続させる。
【０１１１】
この入賞球数検出スイッチ38によってカウントされた大入賞口36への入賞球数用キャラクタデータｂはCーP.ＲＡＭ７に一時的に格納され、これに基いてＬＣＤカラーパネルに適宜静止画（または動画）で表示される。なお上述した大入賞口36の開放時間を以下、大役時間という。
【０１１２】
このような大役処理中、ＭＰＵ９が継続入賞球検出スイッチ37および継続入賞球検出回路30によって入賞球を検出した場合、継続モードがセットされる。そしてＭＰＵ９は大役処理開始から大役時間経過後または１０球入賞後、大入賞口ソレノイド43を駆動して開閉板42を一旦閉鎖させてから、入賞球数用キャラクタデータｂにかかわらず大役処理はふたたび１回のみ継続（再開）されると同時に、すでにセット済の上記継続モードが解除される。
【０１１３】
この継続モードは、継続入賞球検出スイッチ37が入賞球を検出しないときにはセットされず、大役処理が予め定められた回数まで継続したときにおいてもふたたびセットされることはない。本実施形態において、上記継続モードがセットされる回数の最高値は１５回に定められている。
【０１１４】
電子音発生回路33はＭＰＵ９によって制御され、各種効果音を遊技の進行に応じてスピーカ45から発生させる。スピーカ45は図２および図３において図示が省略されている。
【０１１５】
なおパチンコ球は図２に示した上皿46から投入されると、図示を省略した投入球供給装置から上記打球装置（図示省略）に供給される。そして47で示したハンドル装置を操作することによって、パチンコ球は遊技盤に向かって打ち出される。また図２に示した48は下皿である。つぎに上記構成に係るパチンコ機の制御手順を以下に説明する。まず電源回路15から電力が供給されると、ＭＰＵ９はリセット回路12および電源リセット回路16によって初期化され、これと同時にＭＰＵ９はパチンコ機３の各部に初期設定の処理を施す。
【０１１６】
このときコントロール回路５はＭＰＵ９から入力される制御信号により、C-G.ＲＯＭ６から初期設定時におけるデモ用画面素材データを読み出してC-P.ＲＡＭ７に書き込み、ＬＣＤカラーパネル２にはそのデモ用画面を表示する。
【０１１７】
このデモ用画面はＬＣＤカラーパネル２へのいわゆる焼きつきを抑止するため、３〜５分程度で分割表示面イ〜リの表示位置を変更する（たとえば分割表示面イ，ロ，ハおよび分割表示面ト，チ，リ…図５参照）。
【０１１８】
またデモ用画面中、ＬＣＤカラーパネル２にブリンク表示をする場合、コントロール回路５はパレットグループcpの番号をほかのパレットグループcpの番号に変更するだけでよい。
【０１１９】
このＬＣＤカラーパネル２には初期状態におけるデモ用画面素材として、分割表示面イ〜リに停止識別情報が動画素材データまたは静止画素材データによって表示され、分割表示面イ〜リに商標、遊技説明およびメッセージなどの一般表示が動画素材データまたは静止画素材データで表示される。
【０１２０】
このときＭＰＵ９はゲームの開始までウエイト状態いいかえれば始動入賞球の検出待ち状態になっており、図示を省略した始動記憶カウンタの値が「０」であるか否かを判定する。そして「０」でない場合には上記始動記憶カウンタの値を「１」を減算処理したのち、図示を省略した図柄自動停止タイマをスタートする。
【０１２１】
つぎにコントロール回路５はＬＣＤカラーパネル２の左列、中列、右列の各識別情報の変動表示すなわち図６に示す上方から下方へのスクロール動画に係る表示制御を各列毎に順次開始させる。
【０１２２】
ついでＭＰＵ９は、識別情報が変動していることを図柄変動中表示器41およびスピーカ45を介して音および光によって遊技者に報知し、スタート済の上記図柄自動停止タイマがタイムアップするまで待機する。
【０１２３】
つづいてコントロール回路５は、変動表示中の左列識別情報がすでに呼び出し済の左列停止図柄データと一致するまで現変動表示を継続させたのち、左列識別情報の変動表示を停止させる。
【０１２４】
同様にコントロール回路５は、変動表示中の中列識別情報とすでに呼び出し済の中列停止図柄データとが一致したときに中列識別情報を停止させ、停止表示された左列識別情報および中列識別情報がいずれかの組合せライン（図16参照）Ｌ１〜Ｌ５上に一致しているカード否かを判定する。
【０１２５】
そして組合せラインＬ１〜Ｌ５のいずれかに沿って左列識別情報および中列識別情報が一致している場合、ＭＰＵ９はそのリーチ状態を検出するとともにリーチ信号をコントロール回路５および特定表示器18に入力する。
【０１２６】
これによりリーチフラグがセットされ、いずれかの組合せラインＬ１〜Ｌ５上の左列停止識別情報および中列停止識別情報を図20ないし図24に示すようにブリンク表示する。
【０１２７】
本実施形態ではパレットグループcpの番号変更により、図20ないし図24に示すように組合せラインＬ１〜Ｌ５に対応して識別情報の色彩および識別情報の背景の色彩が変更される。
【０１２８】
これにより識別情報および背景の色彩が所定周期で変化するので、リーチ状態が視覚において明確に表示される。このリーチ状態におけるブリンク表示は、パレットグループcpの番号をほかのパレットグループcpの番号に変更するだけでよい。
【０１２９】
なお図20は組合せラインＬ１を示し、図21は組合せラインＬ２を、図22は組合せラインＬ３を、図23は組合せラインＬ４を、そして図24は組合せラインＬ５を表している。
【０１３０】
そしてコントロール回路５はリーチフラグのセットを確認したのちに図示を省略したリーチ目タイマをスタートし、右列識別情報の変動速度いいかえれば上方から下方へのスクロール速度を現動画の変動（スクロール）速度よりも遅く切り換える。このとき上述したブリンク表示は継続され、遅い変動表示は、上記リーチ目タイマがタイムアップするまで継続される。
【０１３１】
上記リーチ目タイマがタイムアップすると、コントロール回路５は変動表示中の右列識別情報とすでに呼び出し済の右列停止図柄データとの比較判定を開始し、一致したならば右列識別情報の変動表示を停止表示に移行させる。
【０１３２】
つぎにコントロール回路５は、いずれかの組合せラインＬ１〜Ｌ５上に一致している停止識別情報がある場合、該当する組合せラインＬ１〜Ｌ５に沿って停止表示された左列識別情報、中列識別情報および右列識別情報をブリンク表示する。
【０１３３】
このブリンク表示はパレットグループcpの番号をほかのパレットグループcpの番号に変更するだけでよく、これにより遊技者に有利な権利の発生いいかえれば大当たりを表示することができる。
【０１３４】
また大当たり状態を表示するためのブリンク表示は、リーチ状態のためのブリンク表示と比較して色彩、ブリンクのタイミングなどが異なる表示内容になっており、これにより両状態を視覚において明確に識別できるようにしている。
【０１３５】
これと並行してコントロール回路５は大当たり状態の表示ためのキャラクタをＬＣＤカラーパネル２の全面に表示するとともに（図７参照）、図柄変動中表示器41およびスピーカ45を介して音および光によって遊技者に報知する。これに対していずれの組合せラインＬ１〜Ｌ５上にも一致した停止識別情報がない場合、新たなゲームの開始または初期状態に戻る。
【０１３６】
ついでは図示を省略した大入賞開口タイマがスタートされ、上記権利の行使回数をカウントする継続回数カウンタ（図示省略）に「１」を加算処理し、左列上行の分割表示面イにその値を表示したのちに大入賞口ソレノイド43を「ＯＮ」して大入賞口36を開口する。
【０１３７】
そして上記権利行使毎に継続入賞球検出スイッチ37が入賞球を検出している場合、次回の権利を一回だけ継続させることができ、上記継続回数カウンタに加算処理される値が最大で「１６」に達するまで上記権利を継続できる。
【０１３８】
またＭＰＵ９は、権利行使中に入賞球数検出スイッチ38が入賞球を検出したか否かを判定し、検出した場合には入賞球数検出回路31に「１」を加算処理し、その値を最大で「１０」まで上記いずれかの大当たりキャラクタｃ１〜５とともに右列上行の分割表示面ハに表示する。
【０１３９】
そして入賞球数検出回路31に加算処理された値が「１０」に達すると、大入賞口ソレノイド43を「ＯＮ」してから所定時間が経過するまで大入賞口36の開口状態が保持されたのちに大入賞口ソレノイド43は「ＯＦＦ」される。
【０１４０】
これにより大入賞口36が閉止される一方、上記継続回数カウンタの値が「１６」に達していれば上記権利は終了される。そして所定時間が経過するまでの間に各部はつぎのゲームのためのデータ処理および初期化が実行される。
【０１４１】
本実施形態では上記一連のゲームの処理とともに、所定時間（たとえば４msec）毎に以下の割り込み処理が実行される。この割り込み処理は、まず始動入賞球検出スイッチ35が始動入賞球により「ＯＮ」されたか否かが判定され、「ＯＮ」されている場合には上記始動記憶カウンタの値が「４」に達しているか否かを判定する。
【０１４２】
そして「４」に達していなければ上記始動記憶カウンタの値に「１」を加算処理したのちに上記無限カウンタから乱数を選択し、その乱数に対応した左列、中列および右列の各停止識別情報データが決定されるとともにＲＡＭ11の所定エリアに格納され、割込処理を終了する。
【０１４３】
また本実施形態ではリーチ状態においてパレットグループcpの番号変更によって識別情報と識別情報の背景との色彩を変更する場合を説明したが、図25および図26のＡ，Ａに示すように識別情報の色彩のみを変更してもよい。なお図25および図26において識別情報Ａ，Ａは円形状に形成され、これらが上下に配置され、Ｂ，Ｂは識別情報Ａ，Ａの背景を示している。
【０１４４】
さらにまた識別情報Ａ，Ａおよびその背景Ｂ，Ｂの色彩の変更によって、識別情報Ａ，Ａ（または背景Ｂ，Ｂ）の形状を変化させるようにしてもよい。そのために１つの識別情報Ａ，Ａ（または背景Ｂ，Ｂ）のキャラクタデータを複数のカラーパレット「1」〜「8」で構成するとともにいずれかのカラーパレットグループcpのカラーパレット「1」〜「8」のうちの少なくとも２つに同じ色彩を登録し、この同じ色彩のカラーパレットの少なくとも１つに他と異なる色彩を登録すればよい。
【０１４５】
たとえば図27に示すように識別情報Ａ，Ａ（第１の識別情報）を単体の円形状に形成するとともに仮想線で示す識別情報Ａ，Ａよりも大きな同心円を識別情報Ｃ，Ｃ（第２の識別情報）として構成し、識別情報Ａ，Ａのキャラクタデータ（第1のキャラクタデータ）をカラーパレット「1」（第１のカラーパレット）で構成し、識別情報Ａ，Ａと背景B、Bとの間のキャラクタデータ（第２のキャラクタデータ）をカラーパレット「2」（第２のカラーパレット）で構成し、さらには背景Ｂ，Ｂのキャラクタデータ（第３のキャラクタデータ）をカラーパレット「3」（第３のカラーパレット）で構成する。
【０１４６】
さらにはパレットグループcp１（一方のカラーパレットグループ）のカラーパレット「1」およびカラーパレット「2」には互いに異なる色彩を登録し、かつ、カラーパレット「2」およびカラーパレット「3」は同一の色彩を登録する。
【０１４７】
またパレットグループcp２（他方のカラーパレットグループ）については、カラーパレット「1」およびカラーパレット「2」には同一の色彩を登録し、かつ、カラーパレット「2」およびカラーパレット「3」には互いに異なる色彩を登録する。そして、パレットグループcp１およびパレットグループcp２において、両カラーパレット「1」には同一の色彩が登録され、また両カラーパレット「3」においても同一の色彩が登録されている。
【０１４８】
このような構成の実施形態では、リーチ状態においてコントロール回路５がカラーパレットグループcp１からパレットグループcp２に変更することで、図28に示すように識別情報の直径が伸長される。
【０１４９】
またコントロール回路５がカラーパレットグループcp２からパレットグループcp１に変更することで識別情報の直径が縮小される。このカラーパレットグループcp１およびカラーパレットグループcp２の選択を所定タイミングで変更することにより、識別情報（または背景）の形状が変化する。
【０１５０】
本実施形態では識別情報および背景の色彩を変更しない場合を説明したがこれに限定されるものではない。たとえば識別情報および背景の色彩を入れ換えながら両者の形状を変化させたり、まったく異なる色彩に変化させながら両者の形状を変化させてもよい。
【０１５１】
またカラーパレットグループcpの数を３組以上にしてもよいのはもちろんで、これによりさらに変化に富んだリーチ状態を表現でき、これらの表現はリーチ状態のみに限定されるものではない。
【０１５２】
さらにカラーパレットグループcp１において赤が、カラーパレット１５であるが、カラーパレットグループcp２ではカラーパレット９に、カラーパレットグループcp３ではカラーパレット０に定めることによって、カラーパレットグループcp１からカラーパレットグループcp３にかけて輝度を小さく設定しておけば、ＬＣＤカラーパネル２にカラーパレットグループcp１に基いて表示された所定キャラクタを（図19参照）、カラーパレットグループcp１からカラーパレットグループcp２およびカラーパレットグループcp３の順序で変更することによって、上記キャラクタを段階を追って溶暗表示させることができる。さらに上述した実施形態は、分割表示面イ〜リに変動表示されている識別情報が左列、中列および右列の順序で停止表示される場合を説明したが、これに限定されるものではない。
【図面の簡単な説明】
【０１５３】
【図１】本発明の一実施形態を示す要部ブロック図である。
【図２】図１の装置を設けたパチンコ機の正面図である。
【図３】図２のパチンコ機の要部正面図である。
【図４】図２の可変表示装置に表示される識別情報の配列を示す説明図である。
【図５】図２のＬＣＤカラーパネルの表示態様を示す説明図である。
【図６】図５と異なる状態を示す説明図である。
【図７】図６と異なる状態を示す説明図である。
【図８】図７と異なる状態を示す説明図である。
【図９】図１のキャラクタジェネレータＲＯＭに格納されたデータの一部を示す説明図である。
【図１０】図１の可変表示装置の構成を示すブロック図である。
【図１１】図２の可変表示装置の一部を示す拡大図である。
【図１２】図９の他部を示す説明図である。
【図１３】図12の他部を示す説明図である。
【図１４】図13の他部を示す説明図である。
【図１５】図14の他部を示す説明図である。
【図１６】図４の分割表示面の組合せラインを示す正面図である。
【図１７】図15の構成を示す説明図である。
【図１８】図17の構成を示す説明図である。
【図１９】図18の構成を示す説明図である。
【図２０】図１のＬＣＤカラーパネルにおいてリーチ状態を示す一部正面図である。
【図２１】図20と異なる状態を示すの他部を示す一部正面図である。
【図２２】図21と異なる状態を示すの他部を示す一部正面図である。
【図２３】図22と異なる状態を示すの他部を示す一部正面図である。
【図２４】図23と異なる状態を示すの他部を示す一部正面図である。
【図２５】図24と異なる実施形態を示すＬＣＤカラーパネルの一部正面図である。
【図２６】図25と異なる状態を示す一部正面図である。
【図２７】図26と異なる実施形態を示すＬＣＤカラーパネルの一部正面図である。
【図２８】図27と異なる状態を示す一部正面図である。
【符号の説明】
【０１５４】
１  可変表示装置
２  LCDカラーパネル
３  パチンコ機
４  遊技盤
５  コントロール回路
６  C-G.ROM
７  C-P.RAM
「１」〜「８」  カラーパレット
３４  始動入賞口
ｃｐ  カラーパレットグループ
【図１】
2006150109.tif 000003
【図２】
2006150109.tif 000004
【図３】
2006150109.tif 000005
【図４】
2006150109.tif 000006
【図５】
2006150109.tif 000007
【図６】
2006150109.tif 000008
【図７】
2006150109.tif 000009
【図８】
2006150109.tif 000010
【図９】
2006150109.tif 000011
【図１０】
2006150109.tif 000012
【図１１】
2006150109.tif 000013
【図１２】
2006150109.tif 000014
【図１３】
2006150109.tif 000015
【図１４】
2006150109.tif 000016
【図１５】
2006150109.tif 000017
【図１６】
2006150109.tif 000018
【図１８】
2006150109.tif 000019
【図１９】
2006150109.tif 000020
【図２０】
2006150109.tif 000021
【図２１】
2006150109.tif 000022
【図２２】
2006150109.tif 000023
【図２３】
2006150109.tif 000024
【図２４】
2006150109.tif 000025
【図２５】
2006150109.tif 000026
【図２６】
2006150109.tif 000027
【図２７】
2006150109.tif 000028
【図２８】
2006150109.tif 000029
【図１７】
2006150109.tif 000030